(57)【要約】【課題】電線やケーブル等の敷設作業の手間と煩雑さを解消するために電線やケーブル等をまとめて配線具に収納し保護する配線具を提供する。【解決手段】電線の周囲を絶縁材で覆い該電線を収納し保護する配線具１は、絶縁材の長手方向に延びた面に沿って索体を収納する溝４，５と、絶縁材の長手方向に電線を収納する切欠き溝３とを有する。上記の溝４，５に収納される索体は、同軸ケーブル、光ケーブル、電話線、電線等である。【選択図】　図１
2004096802.tif 000002
【特許請求の範囲】
【請求項１】
電線の周囲を絶縁材で覆い該電線を収納し保護する配線具であって、前記絶縁材の長手方向に延びた面に沿って索体を収納する溝と、前記電線を前記絶縁材の長手方向に延びた状態で収納する切欠き溝とを備えたことを特徴とする配線具。
【請求項２】
前記絶縁材の長手方向に前記電線を移動自在に覆う貫通孔を設けたことを特徴とする請求項１記載の配線具。
【請求項３】
請求項１又は２記載の配線具において、前記索体は同軸ケーブル、ＬＡＮケーブル、光ケーブル、電話線又は電線であることを特徴とする配線具。
【請求項４】
電線の周囲を絶縁材で覆い該電線を収納し保護する配線具であって、前記電線を前記絶縁材の長手方向に延びた状態で上方から押し込むことによって収納可能な切欠き溝を有することを特徴とする配線具。
【請求項５】
請求項４記載の配線具において、前記絶縁材は弾性材料で形成されていることを特徴とする配線具。
【請求項６】
電線の周囲を絶縁材で覆い該電線を収納し保護する配線具であって、
前記電線を前記絶縁材の長手方向に延びた状態で収納する配線具本体と、
前記配線具本体を覆う本体カバーとで構成され、
前記配線具本体に前記絶縁材の長手方向に延びた面に沿って索体を収納する溝が設けられていることを特徴とする配線具。
【請求項７】
請求項６記載の配線具において、前記本体カバーは、前記溝に収納された索体を覆うように形成されていることを特徴とする配線具。
【発明の詳細な説明】
【０００１】
【発明の属する技術分野】
本発明は、電線（電源から電流を供給する電線のほか、通信用の配線又はケーブル等の索体を含む）を収納し保護する配線具に関する。
【０００２】
【従来の技術】
近年、コンピュータや周辺機器のネットワーク化の進展に伴い、ＬＡＮを導入する企業等が増えており、ＬＡＮケーブルが用いられている。また、大容量且つ高速の通信路を提唱する手段として、光ケーブルも普及してきている。その一方で、建物の室内には電話やテレビ受像機も設置されることが多く、例えば、ＴＶのアンテナ線としては同軸ケーブルが使用されている。
【０００３】
これらのケーブルをそのまま建物の床や壁面に敷設すると、人目につく場所では外観を損い、人が通行するような場所では、通行者が足を引っ掛けたりケーブルを損傷する恐れがある。そこで、ケーブルを敷設する建物の床や壁面等の場所に、例えば合成樹脂製の細長い基板を敷いてその上にケーブルを延伸させ、その上方から細長いカバーを被せる工事が行われている。
【０００４】
【発明が解決しようとする課題】
しかしながら、従来の工事は、上記のようにいくつかの作業工程を必要とし、ケーブル敷設後の外観を損わないためにはカバーの取付け位置や仕上がりにも配慮する必要があり、最近ではオフィスや一般家庭で必要な信号線の数も増大する一方なので、上記のようなケーブルの敷設作業には手間と時間がかかっている。
【０００５】
また、オフィスや一般家庭で用いられる電源を必要とする装置も、多種・多様化しており、各装置に電流を供給する電線の数も増大する一方である。これらの電線は、一般に装置の裏面側に配置されるので、上記のケーブル程には目立たないが、それでも本数が増えれば煩雑であり、見た目にも煩わしい。そして、これらの電線やケーブルの数が増えるほど、上記のような電線とケーブルの敷設作業の手間や煩雑さの問題も増大する。
【０００６】
本発明の目的は、上記の電線やケーブルの敷設作業の手間と煩雑さを解消するため、電線とケーブルをまとめて覆って敷設できるようにした配線具を提供することである。
【０００７】
【課題を解決するための手段】
本発明の第１の態様は、電線の周囲を絶縁材で覆い該電線を収納し保護する配線具であって、前記絶縁材の長手方向に延びた面に沿って索体を収納する溝と、電線を絶縁材の長手方向に延びた状態で収納する切欠き溝を備えたことを特徴とするものである。
【０００８】
本発明の第２の態様は、絶縁材の長手方向に電線を移動自在に覆う貫通孔を設けたことを特徴とする配線具である。
【０００９】
本発明の第３の態様は、絶縁材の長手方向に延びた面に沿って収納される索体は、例えば、同軸ケーブル、ＬＡＮケーブル、電話線又は電線でもよい。
【００１０】
本発明の第４の態様は、電線を絶縁材の長手方向に延びた状態で上方から押し込むことによって電線を収納する切欠き溝を有することを特徴とする配線具である。
【００１１】
本発明の第５の態様は、電線をその長手方向に延びた状態で上方から押し込むことによって収納する切欠き溝を備えた絶縁材が、弾性材料で形成されていることを特徴とする配線具である。
【００１２】
本発明の第６の態様は、電線の周囲を絶縁材で覆い該電線を収納し保護する配線具であって、電線を絶縁材の長手方向に延びた状態で収納する配線具本体と、配線具本体を覆う本体カバーとで構成され、配線具本体に絶縁材の長手方向に延びた面に沿って索体を収納する溝が設けられていることを特徴とする配線具である。
【００１３】
本発明の第７の態様は、本体カバーは、溝に収納された索体を覆うように形成されていることを特徴とする配線具である。
【００１４】
【作用及び効果】
ＬＡＮケーブル等の索体や電線等を敷設する場合は、延伸した索体を絶縁材の長手方向に延びた面に沿って設けた溝に収納するようにして配線具を設置する。そして、絶縁材の長手方向に延びて設けられた切欠き溝に電線を収納する。これにより、索体と電線とが共に絶縁材でカバーされた状態で敷設される。すなわち、配線具は、索体のカバーと電線のカバーとを兼用するものであり、ＬＡＮケーブル等の索体と電線とをまとめて敷設できるので、ケーブルや電線の敷設作業の手間と煩雑さが解消される。
【００１５】
更に、電線等を絶縁材の長手方向に形成した貫通孔の中を移動自在に延びた状態で覆う形態のものを用いる場合は、その貫通孔に電線を通すことで電線がカバーされる。また、索体を絶縁材の溝に収納することでカバーした後、絶縁材の貫通孔に電線（或いは別の索体）を通すことも可能であり、これによって電線とケーブル等の敷設が達成され、これにより敷設作業の手間や煩雑さが解消し、ケーブルなどを損傷することがなく敷設後の外観も損なわれない。
【００１６】
また、電線を絶縁材の長手方向に延びた状態で上方から押し込むことによって電線を収納する切欠き溝を設けた配線具によれば、その切欠き溝の上から電線を押し込むだけで収納することができ、配線作業が効率よく行われる。この切欠き溝を複数形成することにより、複数の電線を纏めて収納できる。更に、このような切欠き溝を設ける絶縁材を弾性材料で形成することにより、幅の狭い切欠き溝内にその幅より太い電線でも容易に押し込むことができると共に、収納された電線は、溝部の弾性作用により溝内に確実に保持される。
【００１７】
また、配線具本体は、電線を絶縁材の長手方向に延びた状態で収納し、本体カバーは、配線具本体を覆う。配線具本体に絶縁材の長手方向に延びた面に沿って索体を収納する溝が設けられている。これによって、上述と同様に電線とケーブル等の敷設が達成され、これにより敷設作業の手間や煩雑さが解消し、ケーブルなどを損傷することがなく敷設後の外観も損なわれない。
【００１８】
また、本体カバーは、溝に収納された索体を覆うように形成されている。これによって、索体と電線とが共に本体カバーに覆われた状態で敷設される。
【００１９】
【発明の実施の形態】
図１は、本発明の第１実施例である配線具の外観斜視図である。
【００２０】
この配線具１は、その長手方向に沿って、例えば、ポリオレフィン系ポリエチレン製の絶縁性被覆で覆われた軟銅製の導体からなる電線や索体を収納し保護するものである。これは絶縁材で形成し、その全長（１単位）を、例えば１０００ｍｍ，２０００ｍｍの２種類とする。この配線具１には、例えば３本の電線Ａ，Ｂ，Ｃをその長手方向の上面２側から押し込むことで収納可能な切欠き溝３が、３箇所平行に形成されている。なお、各電線は絶縁性被覆Ｅで覆われている。
【００２１】
また、配線具１の長手方向の側部には、同軸ケーブルその他の索体を収納する断面円弧状の溝４及び５を設け、これらの溝４及び５の内径は、収納するケーブルの外径に応じて異なる径となるように定められる。
【００２２】
この実施例では、溝４及び５はそれぞれ同軸ケーブル用、ＬＡＮケーブル用とし、溝４の内径（例えば３ｍｍ）よりも溝５の内径（例えば４ｍｍ）の方を大きく形成している。ケーブルを敷設する際には、これらの溝４及び５内にそれぞれの長さの方向に延伸したケーブルが収納される。
【００２３】
図２に示すように、配線具１の上面２側に形成された切欠き溝３は、一定間隔の隙間をもって平行に延びた断面円形の溝であり、配線具１が合成ゴムなどの弾性材料からなる絶縁材料で形成された場合は、各切欠き溝３に対向する突出片７，７の隙間が電線の径よりも狭く形成され、これらの突出片７，７の間に電線を押し込むことにより突出片７，７を内側に屈曲させて電線を溝内に収納する。電線挿入後、突出片７，７は弾性作用で元の状態に復帰するため、切欠き溝３内に収納された電線は、突出片７，７に遮られて溝外に抜け出ることなく切欠き溝３内に確実に保持される。切欠き溝３の形状は、図示の断面円形状のほか、凹状などに形成することも可能である。
【００２４】
この実施例の切欠き溝３の下方には、トンネル状の貫通孔６が形成され、この貫通孔６内に１本乃至複数本の電線Ｄが、移動自在に収納される。すなわち、この実施例は、配線具の長手方向に形成した貫通孔６の中に電線を移動自在に延びた状態でカバーする形態のものであり、例えば、延伸したケーブルを配線具１の溝４又は５に収納することでカバーした後、貫通孔６に通すことも可能であり、これによって電線とケーブルの敷設が達成される。
【００２５】
図３は、第２実施例の配線具の斜視図である。この配線具１０は絶縁材で形成され、その上面１１側の長手方向に、断面円弧状の切欠き溝１３を平行に５本形成すると共に、断面略楕円形の切欠き溝１４を１本形成している。例えば、断面略楕円形の切欠き溝１４には、扁平状の電線或いは索体などが収納されて溝部の弾性作用により溝内に保持される。なお、上記切欠き溝１３及び１４の形状、寸法、数などは、必要に応じて選択的に設定される。
【００２６】
上記実施例の配線具を床や壁面に固定するため、配線具の下面９及び１２に両面接着テープ８を貼着し、敷設時にその両面接着テープ８の剥離紙を剥がして配線具１を床面等に張り付け固定することができる。
【００２７】
図４は、第３実施例の配線具の斜視図である。
【００２８】
図４に示す配線具２０は、電線を絶縁材の長手方向に延びた状態で収納する配線具本体２１と、配線具本体２１の上部を覆う本体カバー２２とで構成され、絶縁材で形成されている。配線具本体２１は、断面が凹状に形成されており、その上端の側面には、長手方向に形成された断面円弧状の嵌込溝２３及び２４が設けられ、その下方には、上述と同様に同軸ケーブルその他の索体を収納する断面円弧状の溝２５及び２６が設けられている。これらの溝２５及び２６の内径は、収納するケーブルの外径に応じて異なる径となるように定められる。本体カバー２２の内側には、長手方向に形成された内向き突出部３０及び３１が設けられている。
【００２９】
図５に示すように、配線具本体２１の嵌込溝２３及び２４にそれぞれ本体カバー２２の内向き突出部３０及び３１を嵌め込むことで、配線具本体２１に本体カバー２２を取り付けることができる。これにより、配線具本体２１の内側に上述のような索体を収納し、その上方から上記のように配線具本体２１に本体カバー２２を取り付けることで、電線とケーブルの敷設が達成される。
【００３０】
図６は、第４実施例の配線具の断面図である。図６に示す配線具４０は、基本的には図４に示す配線具２０と同じであるが、図４に示す配線具２０と形状が異なる。図６に示す配線具４０は、電線を絶縁材の長手方向に延びた状態で収納する配線具本体４１と、配線具本体４１を覆う本体カバー４２とで構成され、絶縁材で形成されている。配線具本体４１は、断面が凹状に形成されており、その両側部には、外側に突出した外向き突出部５０及び５１が設けられ、その下側には、上述と同様に同軸ケーブルその他の索体を収納する断面円弧状の溝５２及び５３が設けられている。これらの溝５２及び５３の内径は、収納するケーブルの外径に応じて異なる径となるように定められる。本体カバー４２は、逆Ｕ字状に形成され、溝５２及び５３に収納されたケーブルの側面を覆う。その本体カバー４２には、その内側面に設けられた突起部５４及び５５の上側にそれぞれ凹部が形成されている。
【００３１】
図６に示すように、配線具本体４１の内側面に設けられた突起部５４及び５５の上側に形成された凹部にそれぞれ配線具本体４１の外向き突出部５０及び５１を嵌め込むことで、配線具本体４１に本体カバー４２を取り付けることができる。これにより、配線具本体４１の内側に、例えば、絶縁性被覆Ｅで覆われた３本の電線Ｇ，Ｈ，Ｊを束ねたケーブルＫを収納し、その上方から上記のように本体カバー４２を嵌め込んで固定することができる。これにより、電線とケーブルの敷設が達成される。
【００３２】
以上の配線具を用いて前述の電線とケーブルを敷設するときは、一定の長さの配線具を敷設場所のスペースや距離に応じて、電線と共に同軸ケーブルやＬＡＮケーブル等を取りまとめ、最少工程の作業で容易且つ迅速に敷設することができる。
【図面の簡単な説明】
【図１】本発明に係る実施例の配線具に電線を収納した状態を示す斜視図である。
【図２】図１のＩＩ−ＩＩ線に沿った拡大断面図である。
【図３】本発明に係る他の実施例の配線具を示す斜視図である。
【図４】更に他の実施例の配線具を示す斜視図である。
【図５】図４に示す配線具の縦断面図である。
【図６】更に他の実施例の配線具の縦断面図である。
【符号の説明】
１，１０，２０，４０…配線具、２，１１…上面、３，１３，１４…切欠き溝、４，５，２５，２６，５２，５３…溝、６…貫通孔、７…突出片、８…両面接着テープ、９，１２…下面、２１，４１…配線具本体、２２，４２…本体カバー、２３，２４…嵌込溝、３０，３１…内向き突出部、５０，５１…外向き突出部、５４，５５…突起部、Ａ，Ｂ，Ｃ，Ｄ，Ｇ，Ｈ，Ｊ…電線、Ｅ…絶縁性被覆、Ｋ…ケーブル。
【図１】
2004096802.tif 000003
【図２】
2004096802.tif 000004
【図３】
2004096802.tif 000005
【図４】
2004096802.tif 000006
【図５】
2004096802.tif 000007
【図６】
2004096802.tif 000008